(57)【要約】【課題】正視した自己画像が得られる電子機器を提供する。【解決手段】電子機器が備えるＣＰＵが実行する処理は、シャッターアイコン領域で非接触反応（ホバー機能）があったか否かを判断するステップ（Ｓ２１０）と、非接触反応があった場合に（ステップＳ２１０にてＹＥＳ）、視線を誘導するための矢印を表示装置に表示するステップ（Ｓ２２０）と、シャッターアイコン領域で接触反応（タッチ操作）があったか否かを判断するステップ（Ｓ２３０）と、接触反応があった場合に（ステップＳ２３０にてＹＥＳ）、撮影処理を実行するステップ（Ｓ２４０）とを含む。【選択図】図２
2015139037.tif 000002
【特許請求の範囲】
【請求項１】
電子機器であって、
非接触状態で指示入力を受け付けるタッチパネルを有する表示装置と、
前記表示装置の表示面側に配置されたカメラと、
前記電子機器を制御するための制御装置とを備え、
前記制御装置は、
前記カメラからのモニタ画像を前記表示装置に表示し、
前記電子機器の使用者の視線を前記カメラに導くための誘導画像を前記表示装置に表示し、
前記電子機器への撮影指示に基づいて、前記カメラに撮像させる、電子機器。
【請求項２】
前記誘導画像は、前記カメラが配置されている方向を示す画像を含む、請求項１に記載の電子機器。
【請求項３】
前記誘導画像を前記表示装置に表示することは、前記撮影指示を受け付けるためのシャッター画像を表示し、前記シャッター画像を前記カメラの方向に移動させることを含む、請求項１に記載の電子機器。
【請求項４】
前記電子機器に撮影指示を与えるための手段と前記表示装置との間隔が予め定められた間隔以下になった場合に、前記表示装置は、前記誘導画像を表示する、請求項１〜３のいずれかに記載の電子機器。
【請求項５】
電子機器を制御するためのプログラムであって、
前記電子機器は、
非接触状態で指示入力を受け付けるタッチパネルを有する表示装置と、
前記表示装置の表示面側に配置されたカメラと、
前記電子機器を制御するためのプロセッサとを備えており、
前記プログラムは、前記プロセッサに、
前記カメラからのモニタ画像を前記表示装置に表示するステップと、
前記電子機器の使用者の視線を前記カメラに導くための誘導画像を前記表示装置に表示するステップと、
前記電子機器への撮影指示に基づいて前記カメラに撮像させるステップとを実行させる、プログラム。
【発明の詳細な説明】
【技術分野】
【０００１】
本開示は電子機器の制御に関し、より特定的には、撮影機能およびタッチ操作機能を備える電子機器の制御に関する。
【背景技術】
【０００２】
スマートフォン、タブレット端末その他の携帯型の電子機器は、撮影機能とタッチ操作機能とを備えている。カメラが、所謂インカメラとして表示装置側に配置されている場合、電子機器のユーザは、所謂自分撮りと呼ばれる自分自身の撮影を実行できる。
【０００３】
たとえば、非特許文献１は、表示装置側に配置されているインカメラを用いて、シャッターを表わす画像として表示装置に表示されるシャッターアイコンのタッチにより、表示装置のユーザ自身を撮影できる技術を開示している（５１頁参照）。
【先行技術文献】
【非特許文献】
【０００４】
【非特許文献１】AQUOS  PHONE  ZETA  SH-01F  取扱説明書、'13.10
【発明の概要】
【発明が解決しようとする課題】
【０００５】
ユーザが自分撮りを行なう場合、ユーザは、シャッターアイコンを見ながらタッチ操作を行なうことになる。そのため、表示装置とインカメラとが離れていると、ユーザの視線がカメラを正視していない状態で撮影が行なわれることになる。したがって、自分撮りを行なう場合に正視したユーザが撮影できる技術が必要とされている。
【０００６】
本開示は、上述のような問題点を解決するためになされたものであって、ある局面における目的は、ユーザが正視した状態で自分撮りを行なうことができる電子機器を提供することである。
【０００７】
他の局面における目的は、ユーザが正視した状態で自分撮りを行なうことができるように電子機器を制御するためのプログラムを提供することである。
【課題を解決するための手段】
【０００８】
一実施の形態に従う電子機器は、非接触状態で指示入力を受け付けるタッチパネルを有する表示装置と、表示装置の表示面側に配置されたカメラと、電子機器を制御するための制御装置とを備える。制御装置は、カメラからのモニタ画像を表示装置に表示し、電子機器の使用者の視線をカメラに導くための誘導画像を表示装置に表示し、電子機器への撮影指示に基づいて、カメラに撮像させる。
【０００９】
好ましくは、誘導画像は、カメラが配置されている方向を示す画像を含む。
好ましくは、誘導画像を表示装置に表示することは、撮影指示を受け付けるためのシャッター画像を表示し、シャッター画像をカメラの方向に移動させることを含む。
【００１０】
好ましくは、電子機器に撮影指示を与えるための手段と表示装置との間隔が予め定められた間隔以下になった場合に、表示装置は、誘導画像を表示する。
【００１１】
他の実施の形態に従うと、電子機器を制御するためのプログラムが提供される。電子機器は、非接触状態で指示入力を受け付けるタッチパネルを有する表示装置と、表示装置の表示面側に配置されたカメラと、電子機器を制御するためのプロセッサとを備える。プログラムは、プロセッサに、カメラからのモニタ画像を表示装置に表示するステップと、電子機器の使用者の視線をカメラに導くための誘導画像を表示装置に表示するステップと、電子機器への撮影指示に基づいてカメラに撮像させるステップとを実行させる。
【発明の効果】
【００１２】
ある局面において、電子機器は、ユーザが正視した状態で自分撮りを行なうことができる。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】第１の実施の形態に係る電子機器１００の構成の概略を表すブロック図である。
【図２】自分撮りを行なうためにＣＰＵ１４１が実行する処理の一部を表すフローチャートである。
【図３】表示装置１５１における画面の推移を表す図である。
【図４】第２の実施の形態に係る電子機器１００のＣＰＵ１４１が実行する処理の一部を表すフローチャートである。
【図５】第３の実施の形態に係る電子機器１００のＣＰＵ１４１が実行する処理の一部を表すフローチャートである。
【図６】第３の実施の形態に係る電子機器１００の表示装置１５１における画面の推移を表す図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
＜第１の実施の形態＞
［構成］
図１を参照して、本発明の第１の実施の形態について説明する。図１は、第１の実施の形態に係る電子機器１００の構成の概略を表すブロック図である。電子機器１００は、例示すると、携帯電話、スマートフォン、タブレット端末、ノートブック型コンピュータその他の電子機器であって、撮影機能とタッチ操作機能を備える機器である。
【００１７】
電子機器１００は、入力部１１０と、カメラ１２０と、記憶部１３０と、制御部１４０と、表示部１５０とを備える。入力部１１０は、タッチパネル１１１とキー１１２とを備える。制御部１４０は、ＣＰＵ１４１と、メモリ１４２と、プログラム１４３とを備える。プログラム１４３は、非接触位置情報判定部１４４と、接触位置情報判定部１４５とを含む。表示部１５０は、表示装置１５１を含む。
【００１８】
タッチパネル１１１は、所謂ホバー機能を備える。ホバー機能とは、表示装置１５１の画面への接触が行なわれる前に、当該領域へのタッチ操作として受け付けることができる機能である。キー１１２は、電子機器１００の筐体に設けられた電源ボタンその他のハードスイッチを含む。
【００１９】
カメラ１２０は、レンズと、ＣＭＯＳ（Complementary  Metal-Oxide  Semiconductor）その他の撮像素子と、オートフォーカス機構とを含む。
【００２０】
記憶部１３０は、内蔵式の記憶装置と、着脱可能なメモリカードとを含む。
ＣＰＵ１４１は、電子機器１００の動作を制御するための命令を実行する。当該命令は、記憶部１３０あるいはメモリ１４２に保存されるプログラム、または、プログラム１４３等に組み込まれている。
【００２１】
メモリ１４２は、ＲＡＭ（Random  Access  Memory）、ＲＯＭ（Read-Only  Memory）等により実現される。
【００２２】
プログラム１４３は、電子機器１００の製造者によって制御部１４０に組み込まれ、あるいは、製造者その他の提供者からプログラム１４３をダウンロードしたユーザによってインストールされる。プログラム１４３が実行されると、制御部１４０は、非接触位置情報判定部１４４と、接触位置情報判定部１４５として機能する。
【００２３】
非接触位置情報判定部１４４は、所謂ホバー機能を実現する。より具体的には、ユーザの指やスタイラスペンその他の部材であって電子機器１００に命令を与えるための手段と表示装置１５１との間隔が予め定められた間隔になるまで、当該部材が表示装置１５１に接近すると、非接触位置情報判定部１４４は、電子機器１００に対する命令が当該部材によって与えられたと判断する。なお、電子機器１００への命令の入力として検知されるための電子機器１００と当該部材との距離は、表示装置１５１の仕様によって規定される。
【００２４】
接触位置情報判定部１４５は、表示装置１５１に表示される画像（アイコン）へのタッチ操作を検知して、タッチ操作が検知された位置に基づいて、電子機器１００への命令を実行する。
【００２５】
ある局面において、ＣＰＵ１４１は、カメラ１２０からのモニタ画像を表示装置１５１に表示し、電子機器１００の使用者の視線をカメラ１２０に導くための誘導画像を表示装置１５１に表示し、電子機器１００への撮影指示に基づいて、カメラ１２０に撮像させる。
【００２６】
［制御構造］
図２を参照して、電子機器１００の制御構造について説明する。図２は、自分撮りを行なうためにＣＰＵ１４１が実行する処理の一部を表すフローチャートである。当該処理は、ＣＰＵ１４１が、プログラムに含まれる１つ以上の命令を実行することにより実現される。なお、他の局面において、当該処理の全てまたは一部は、回路素子その他のハードウェアによって実現されてもよい。
【００２７】
ステップＳ２１０にて、ＣＰＵ１４１は、タッチパネル１１１からの信号に基づいて、非接触位置情報判定部１４４を用いて、シャッターアイコン領域で非接触反応があったか否かを判断する。シャッターアイコン領域とは、電子機器１００が撮影の指示を受け付けるためのシャッタ画像が表示装置１５１に表示される領域をいう。電子機器１００のホバー機能が有効である場合には、ユーザの指その他の指示部材と表示装置１５１との間隔が予め規定された間隔以下になると、ＣＰＵ１４１は、非接触反応があったと判断する。非接触反応があった場合には（ステップＳ２１０にてＹＥＳ）、ＣＰＵ１４１は、制御をステップＳ２２０に切り換える。そうでない場合には（ステップＳ２１０にてＮＯ）、ＣＰＵ１４１は、制御をステップＳ２５０に切り換える。
【００２８】
ステップＳ２２０にて、ＣＰＵ１４１は、視線誘導矢印を表示装置１５１に表示する。
ステップＳ２３０にて、ＣＰＵ１４１は、タッチパネル１１１からの信号に基づいて、接触位置情報判定部１４５を用いて、シャッターアイコン領域で接触反応があったか否かを判断する。より具体的には、ＣＰＵ１４１は、表示装置１５１に表示されるシャッターアイコンへのタッチ操作、すなわち、撮像指示の入力が行なわれたか否かを判断する。ＣＰＵ１４１は、接触反応があったと判断すると（ステップＳ２３０にてＹＥＳ）、制御をステップＳ２４０に切り換える。そうでない場合には（ステップＳ２３０にてＮＯ）、ＣＰＵ１４１は、制御をステップＳ２１０に戻す。
【００２９】
ステップＳ２４０にて、ＣＰＵ１４１は、カメラ１２０を用いた撮影処理を実行する。
ステップＳ２５０にて、ＣＰＵ１４１は、視線誘導矢印を表示装置１５１に表示することなく、電子機器１００の現在の状態を維持する。
【００３０】
［動作］
図３を参照して、電子機器１００の動作について説明する。図３は、表示装置１５１における画面の推移の一例を表す図である。
【００３１】
状態（Ａ）に示されるように、表示装置１５１は、表示面１５２において、自分撮り処理を実行するアプリケーションを起動するためのアイコン３１０を表示している。このとき、電子機器１００のユーザの指３２０が、表示面１５２に表示されているアイコン３１０に触れると、状態（Ｂ）に示されるように、電子機器１００は、自分撮りのためのアプリケーションを起動して、動作モードを自分撮りモードに切り替える。
【００３２】
状態（Ｂ）において、電子機器１００は、ユーザの画像と、シャッターアイコン３３１を表示する。ユーザの画像において、視線３３０は下を向いている。これは、ユーザが、表示装置１５１に表示されているシャッターアイコン３３１を見ているためである。このとき、ユーザの指３２０と、表示面１５２との距離は、ホバー機能が働かない程度に離れている。
【００３３】
その後、状態（Ｃ）に示されるように、ユーザが指３２０を表示面１５２に近づけると、電子機器１００は、非接触位置情報判定部１４４を用いて、指３２０がシャッターアイコン３３１に接近していることを検知する。その検知に応答して、電子機器１００は、ユーザの視線をカメラ１２０に導くための視線誘導矢印３４０を表示する。
【００３４】
状態（Ｄ）に示されるように、視線誘導矢印３４０を見たユーザの視線３５０は、状態（Ｂ）の視線３３０よりも正面を向いている。この状態で、ユーザは、シャッターアイコン３３１に触れることにより、撮影を実行する。これにより、自分撮りが実現される。
【００３５】
以上のようにして、本実施の形態に係る電子機器１００は、視線誘導矢印３４０を表示する。視線誘導矢印３４０を認識したユーザの視線は正面を向くので、電子機器１００は、その状態で撮影することにより、正視したユーザの画像を得ることができる。
【００３６】
＜第２の実施の形態＞
以下、第２の実施の形態について説明する。第２の実施の形態に係る電子機器１００は、電子機器１００がホバー機能を有する場合、ホバー機能が撮影動作の実行のトリガとなり得る点で、第１の実施の形態に係る電子機器１００と異なる。すなわち、第２の実施の形態に係る電子機器１００は、ユーザがタッチ操作を行なわなくても、指が電子機器１００の近傍に存在していることに応答して、撮影動作を実行する。
【００３７】
なお、第２の実施の形態に係る電子機器１００のハードウェア構成は、図１に示される構成と同様である。したがって、ハードウェア構成の説明は繰り返さない。
【００３８】
［制御構造］
図４を参照して、第２の実施の形態に係る電子機器１００の制御構造について説明する。図４は、第２の実施の形態に係る電子機器１００のＣＰＵ１４１が実行する処理の一部を表すフローチャートである。また、図２に示されるフローチャートにおける処理と同様の処理には同じステップ番号を付してある。したがって、同様の処理の説明は繰り返さない。
【００３９】
ステップＳ２３０にて、ＣＰＵ１４１は、タッチパネル１１１からの信号に基づいて、シャッターアイコン領域で接触反応があったか否かを判断する。ＣＰＵ１４１は、接触反応があったと判断すると（ステップＳ２３０にてＹＥＳ）、制御をステップＳ２４０に切り換える。そうでない場合には（ステップＳ２３０にてＮＯ）、ＣＰＵ１４１は、制御をステップＳ４１０に切り換える。
【００４０】
ステップＳ４１０にて、ＣＰＵ１４１は、非接触反応を検出してから一定時間が経過したか否かを判断する。当該一定時間は、電子機器１００の表示装置１５１の仕様によって規定される時間、あるいは、電子機器１００の製造者またはユーザによって設定可能な時間である。ＣＰＵ１４１は、当該一定時間が経過したと判断すると（ステップＳ４１０にてＹＥＳ）、制御をステップＳ２４０に切り換える。そうでない場合には（ステップＳ４１０にてＮＯ）、ＣＰＵ１４１は、制御をステップＳ２１０に戻す。
【００４１】
以上のようにして、第２の実施の形態に係る電子機器１００は、シャッターアイコンへのタッチ操作が行なわれない場合であっても、ホバー機能を用いて撮影動作を実行することができる。ユーザは、指を表示装置１５１にタッチすることなく撮影できるので、視線の移動が抑えられ、正視した画像を得ることができる。
【００４２】
＜第３の実施の形態＞
以下、第３の実施の形態について説明する。第３の実施の形態に係る電子機器１００は、シャッターアイコンを移動する機能を有する点で、第１あるいは第２の実施の形態に係る電子機器１００と異なる。なお、第３の実施の形態に係る電子機器１００は、第１の実施の形態に係る電子機器１００のハードウェア構成を用いて実現される。したがって、ハードウェア構成の説明は繰り返さない。
【００４３】
［制御構造］
図５を参照して、第３の実施の形態に係る電子機器１００の制御構造について説明する。図５は、第３の実施の形態に係る電子機器１００のＣＰＵ１４１が実行する処理の一部を表すフローチャートである。なお、前述の実施の形態に係る電子機器１００の処理と同様の処理には同じステップ番号を付してある。したがって、同様の処理の説明は繰り返さない。
【００４４】
ステップＳ２１０にて、ＣＰＵ１４１は、タッチパネル１１１からの信号に基づいて、非接触位置情報判定部１４４を用いて、シャッターアイコン領域で非接触反応があったか否かを判断する。ＣＰＵ１４１は、非接触反応があったと判断すると（ステップＳ２１０にてＹＥＳ）、制御をステップＳ５１０に切り換える。そうでない場合には（ステップＳ２１０にてＮＯ）、ＣＰＵ１４１は、制御をステップＳ２１０に戻す。
【００４５】
ステップＳ５１０にて、ＣＰＵ１４１は、シャッターアイコンをカメラ１２０の方向に移動して表示する。
【００４６】
ステップＳ５２０にて、ＣＰＵ１４１は、タッチパネル１１１からの信号に基づいて、接触位置情報判定部１４５を用いて、移動後のシャッターアイコン領域で接触反応があったか否かを判断する。ＣＰＵ１４１は、接触反応があったと判断すると（ステップＳ５２０にてＹＥＳ）、制御をステップＳ２４０に切り換える。そうでない場合には（ステップＳ５２０にてＮＯ）、ＣＰＵ１４１は、制御をステップＳ２１０に戻す。
【００４７】
［動作］
図６を参照して、電子機器１００の動作について説明する。図６は、第３の実施の形態に係る電子機器１００の表示装置１５１における画面の推移の一例を表す図である。
【００４８】
状態（Ａ）に示されるように、表示装置１５１は、アイコン３１０を表示している。ユーザの指３２０がアイコン３１０に触れると、電子機器１００は、自分撮りのためのアプリケーションを起動する。
【００４９】
状態（Ｂ）に示されるように、アプリケーションが起動されると、表示装置１５１は、モニタ画像として、カメラ１２０によって撮像されたユーザの画像を表示する。また、電子機器１００は、シャッタ操作を受け付けるためのアイコン６１０を表示装置１５１に表示する。このとき、ユーザの指３２０は、ホバー機能が働かない程度に、表示面１５２から離れている。
【００５０】
その後、状態（Ｃ）に示されるように、指３２０が表示面１５２に近づくと、カメラ１２０に近づいた位置に、シャッタ操作を受け付けるためのアイコン６２０が表示される。ユーザの視線は、移動するアイコン６２０を追跡するために、下方向の視線から正視に変わる。
【００５１】
さらに、状態（Ｄ）に示されるように、アイコンが移動してアイコン６３０として表示されると、カメラ１２０とアイコン６３０とは近接している。ユーザは正視するので、この状態でユーザが撮影動作を実行すると、正視したユーザの画像が得られる。
【００５２】
［実施の形態のまとめ］
開示された電子機器１００は、自分撮りが行なわれる際に、ユーザの視線をカメラに向けるような表示を行なう。表示は、矢印、シャッターアイコンを移動して表示すること等を含む。ユーザがその表示を認識すると、ユーザの視線はカメラを向くので、ユーザが正視した画像を得ることができる。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１００  電子機器、１１０  入力部、１１１  タッチパネル、１１２  キー、１２０  カメラ、１３０  記憶部、１４０  制御部、１４１  ＣＰＵ、１４２  メモリ、１４３  プログラム、１４４  非接触位置情報判定部、１４５  接触位置情報判定部、１５０  表示部、１５２  表示面、３１０，６１０，６２０，６３０  アイコン、３２０  指、３３０，３５０  視線、３３１  シャッターアイコン、３４０  視線誘導矢印。
【図１】
2015139037.tif 000003
【図２】
2015139037.tif 000004
【図３】
2015139037.tif 000005
【図４】
2015139037.tif 000006
【図５】
2015139037.tif 000007
【図６】
2015139037.tif 000008